(57)【要約】【課題】光出射面における中央部と両端部との輝度の差が極端に大きくなる事態を抑制可能な照明装置を提供する。【解決手段】複数のＬＥＤ光源３３と、複数のＬＥＤ光源３３からの光が入射される光入射面１８ｅ及び、その光を出射させる光出射面１８ａを有し、光出射面１８ａが平面視矩形状をなす導光板１８と、を備え、導光板１８は、光出射面１８ａの一辺方向の全範囲において同一輝度の光を光入射面１８ｅに入射させた場合、光出射面１８ａの一辺方向における両端側から出射される光の輝度が、光出射面１８ａの一辺方向における中央側から出射される光の輝度よりも低くなる構成とされ、複数のＬＥＤ光源３３は、光出射面１８ａの一辺方向に沿って配列され、光出射面１８ａの一辺方向における両端側に配されたＬＥＤ光源３３の輝度が、光出射面１８ａの一辺方向における中央側に配されたＬＥＤ光源３３の輝度よりも高くなる形で配列されることを特徴とする。【選択図】図７
2011103236.tif 000002
【特許請求の範囲】
【請求項１】
複数の光源と、
前記複数の光源からの光が入射される光入射面及び、その光を出射させる光出射面を有し、前記光出射面が平面視矩形状をなす導光板と、を備え、
前記導光板は、前記光出射面の一辺方向の全範囲において同一輝度の光を前記光入射面に入射させた場合、前記光出射面の前記一辺方向における両端側から出射される光の輝度が、前記光出射面の前記一辺方向における中央側から出射される光の輝度よりも低くなる構成とされ、
前記複数の光源は、前記光出射面の前記一辺方向に沿って配列され、前記光出射面の前記一辺方向における両端側に配された前記光源の輝度が、前記光出射面の前記一辺方向における中央側に配された前記光源の輝度よりも高くなる形で配列されることを特徴とする照明装置。
【請求項２】
前記導光板において、前記光出射面とは反対側の面には、光を散乱反射させる光反射部が形成され、
前記光出射面の前記一辺方向における両端側の前記光反射部の密度分布が、前記光出射面の前記一辺方向における中央側の前記光反射部の密度分布よりも低く設定されていることを特徴とする請求項１に記載の照明装置。
【請求項３】
前記光反射部は、ドットパターンによって構成されることを特徴とする請求項２に記載の照明装置。
【請求項４】
前記光出射面とは反対側の面には、前記複数の光源からの光を前記光出射面側へ反射させる反射部材が覆われていることを特徴とする請求項１から請求項３のいずれか１項に記載の照明装置。
【請求項５】
請求項１から請求項４のいずれか１項に記載の照明装置と、
前記照明装置からの光を利用して表示を行う表示パネルと、を備えることを特徴とする表示装置。
【請求項６】
前記表示パネルが液晶を用いた液晶パネルであることを特徴とする請求項５に記載の表示装置。
【発明の詳細な説明】
【技術分野】
【０００１】
本発明は、照明装置、及び表示装置に関する。
【背景技術】
【０００２】
近年、画像表示装置の表示素子としては、液晶パネルやプラズマディスプレイパネルなどの薄型表示素子が用いられ、画像表示装置の薄型化を可能としている。表示素子として液晶パネルを用いた場合、液晶パネルは自発光しないため、別途に照明装置としてバックライト装置を必要としている。
【０００３】
バックライト装置の一例として下記特許文献１に記載されたものが知られている。このバックライト装置は、当該バックライト装置の側端部（サイドエッジ）に配された複数個のＬＥＤ（光源）と、ＬＥＤからの光を液晶パネルの表示面に向けて出射させる導光板とを備える。より具体的には、複数のＬＥＤは、導光板の光入射面に対向して配列されており、光入射面から入射した光は、導光板内で全反射を繰り返すことで導光され、光出射面の全面から出射される。
【先行技術文献】
【特許文献】
【０００４】
【特許文献１】特開２００１−９２３７０号公報
【発明の概要】
【発明が解決しようとする課題】
【０００５】
上記の液晶表示装置では、視認性を向上させる目的で表示面の周辺部の輝度を、中央部の輝度よりも低くする構成とする場合がある。このような構成とするためには、導光板の光出射面において、周辺部の輝度を、中央部の輝度よりも低くすればよい。光出射面の輝度分布は、導光板の特性と、複数の光源の各輝度によって主に決定され、設計段階においては、複数の光源の輝度は全て同一であることを前提とし、光出射面の周辺部の輝度が中央部の輝度よりも低くなるように導光板の設計を行う。
【０００６】
ところで、ＬＥＤのような光源は、例えば、輝度の違いによってランク分けがされ、照明装置の製造時には、所望のランクのＬＥＤを購入することが一般的である。購入時には、同じランク（つまり、同一輝度）のＬＥＤのみを購入するよりも、複数ランクのＬＥＤをまとめて購入した方が、購入コストを低減させやすい。このような事情から、照明装置には、要求される輝度の範囲には納まりつつも、異なるランクのＬＥＤが混在されて使用される場合がある。このため、例えば、複数のＬＥＤのうち、光出射面の端部に対応する位置に輝度が低いＬＥＤが配された場合は、上記した導光板の特性と相俟って、端部側の輝度が、中央部の輝度に比して極端に低くなってしまい、輝度ムラとなるおそれがある。
【０００７】
本発明は上記のような事情に基づいて完成されたものであって、異なる輝度の光源を使用しつつも、光出射面における中央部と両端部との輝度の差が極端に大きくなることを抑制可能な照明装置と、このような照明装置を用いた表示装置を提供することを目的とする。
【課題を解決するための手段】
【０００８】
本発明は、複数の光源と、前記複数の光源からの光が入射される光入射面及び、その光を出射させる光出射面を有し、前記光出射面が平面視矩形状をなす導光板と、を備え、前記導光板は、前記光出射面の一辺方向の全範囲において同一輝度の光を前記光入射面に入射させた場合、前記光出射面の前記一辺方向における両端側から出射される光の輝度が、前記光出射面の前記一辺方向における中央側から出射される光の輝度よりも低くなる構成とされ、前記複数の光源は、前記光出射面の前記一辺方向に沿って配列され、前記光出射面の前記一辺方向における両端側に配された前記光源の輝度が、前記光出射面の前記一辺方向における中央側に配された前記光源の輝度よりも高くなる形で配列されることに特徴を有する。
【０００９】
本発明においては、導光板は、一辺方向の全範囲において同一輝度の光が光入射面に入射した場合において、光出射面の一辺方向における両端側から出射される光の輝度が、光出射面の一辺方向における中央側から出射される光の輝度よりも低くなる構成とされている。一方、複数の光源は、光出射面の一辺方向における両端側に配された光源の輝度が、光出射面の一辺方向における中央側に配された光源の輝度よりも高くなる形で配列されている。これにより、輝度の異なる光源を使用しつつも、光出射面の一辺方向における中央側と、その両端側において、出射光の輝度に極端な差が生じる事態を抑制できる。なお、光出射面を平面視矩形状としたが、この「矩形状」には正方形も含まれる。
【００１０】
上記構成において、前記導光板において、前記光出射面とは反対側の面には、光を散乱反射させる光反射部が形成され、前記光出射面の前記一辺方向における両端側の前記光反射部の密度分布が、前記光出射面の前記一辺方向における中央側の前記光反射部の密度分布よりも低く設定されているものとすることができる。
【００１１】
このような構成とすれば、光出射面とは反対側の面において、光出射面の一辺方向における両端側に対応する側は、光を散乱反射させる機能が中央側より低くなる。光を散乱反射させる機能が低くなれば、光出射面によって全反射する光（出射されない光）の割合が多くなり、相対的に光出射量が低減される。これにより、光出射面の一辺方向における両端側の輝度を中央側の輝度に比べて低くすることが可能となる。
【００１２】
また、前記光反射部は、ドットパターンによって構成されるものとすることができる。このようにすれば、各ドットの態様（面積、配置間隔等）を設定することにより、光反射部の密度分布を容易に制御することが可能となる。
【００１３】
前記光出射面とは反対側の面には、前記複数の光源からの光を前記光出射面側へ反射させる反射部材が覆われているものとすることができる。このような構成とすれば、導光板から、反射部材側へ出射された光を、再度光出射面側へ反射させることができ、光の利用効率を高くすることができる。
【００１４】
次に、上記課題を解決するために、本発明の表示装置は、上述した照明装置と、前記照明装置からの光を利用して表示を行う表示パネルと、を備えることを特徴とする。
【００１５】
また、前記表示パネルとしては液晶パネルを例示することができる。このような表示装置は液晶表示装置として、種々の用途、例えばカーナビゲーションシステムの表示画面等に適用できる。
【発明の効果】
【００１６】
本発明によれば、光出射面における中央部と両端部との輝度の差が極端に大きくなる事態を抑制可能な照明装置と、このような照明装置を用いた表示装置を提供することが可能となる。
【図面の簡単な説明】
【００１７】
【図１】本発明の実施形態に係る液晶表示装置の概略構成を示す分解斜視図。
【図２】図１の液晶表示装置の短辺方向に沿った断面構成を示す断面図。
【図３】図１の液晶表示装置の長辺方向に沿った断面構成を示す断面図。
【図４】導光板とＬＥＤ光源の構成を示す平面図。
【図５】ＬＥＤ光源を示す斜視図。
【図６】導光板の光出射面とは反対側の面を示す平面図。
【図７】本実施形態に係るＬＥＤ光源の配列と光出射面における輝度分布との関係を示す概略図。
【図８】比較例におけるＬＥＤ光源の配列と光出射面における輝度分布との関係を示す概略図。
【発明を実施するための形態】
【００１８】
本発明の実施形態に係る液晶表示装置１０の構成について、図１ないし図８を用いて説明する。本実施形態の液晶表示装置１０は、例えば、カーナビゲーション装置や携帯端末、テレビ受信装置などに使用されるものである。なお、液晶表示装置１０（及びシャーシ１４）の長辺方向をＸ軸方向、短辺方向をＹ軸方向とし、図２及び図３における上下方向をＺ軸方向（表裏方向）としている。
【００１９】
本実施形態に係る液晶表示装置１０（表示装置）は、図１に示すように、全体として横長の方形（矩形状）をなしており、例えば、短辺方向を垂直方向と一致させた状態で設置される。液晶表示装置１０は、液晶パネル１１（表示パネル）と、外部光源であるバックライト装置１２（照明装置）とを備え、これらが枠状のベゼル１３などにより一体的に保持されるようになっている。
【００２０】
次に、液晶表示装置１０を構成する液晶パネル１１及びバックライト装置１２について説明する。液晶パネル１１は、一対のガラス基板が所定のギャップを隔てた状態で貼り合わされるとともに、両ガラス基板間に液晶層が挟持された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが配されている（図２及び図３参照）。
【００２１】
バックライト装置１２は、図２に示すように、光出射面側（液晶パネル１１側）に開口した略箱型をなすシャーシ１４と、シャーシ１４の開口を覆うようにして取り付けられる光学部材１５と、シャーシ１４の長辺に沿って配され光学部材１５の長辺縁部をシャーシ１４との間で挟んで保持するフレーム１６とを備える。シャーシ１４内には、光を出射するＬＥＤ基板１７と、当該ＬＥＤ基板１７から生じる光を液晶パネル１１側へ導く導光板１８と、光学部材１５の縁部が載置されるホルダ２０とが配置されている。すなわち、本実施形態では、バックライト装置１２は、光源がシャーシ１４の縁部に配されてなるエッジライト方式を採用している。
【００２２】
シャーシ１４は、例えば、鉄製とされ、矩形状の底板１４ａと、その各辺から立ち上がり略Ｕ字状に折り返された外縁部２１（短辺外縁部２１ａ及び長辺外縁部２１ｂ）とからなる浅い略箱型に板金成形されている。シャーシ１４の長辺外縁部２１ｂの上面には、図３に示すように、固定孔１４ｃが穿設されており、例えばネジ等によりベゼル１３、フレーム１６、及びシャーシ１４等を一体化することが可能とされている。なお、本実施形態では、シャーシ１４は剛性を確保するために鉄製としたが、例えば、より大きい熱伝導率が必要な場合にはアルミ系材料等の金属からなるものとしても良い。
【００２３】
シャーシ１４の開口側には、拡散板１５ａ及び光学シート１５ｂからなる光学部材１５が配設されている。拡散板１５ａは、合成樹脂製の板状部材に光散乱粒子が分散配合されてなり、ＬＥＤ基板１７から出射され、導光板１８により導かれた光を拡散する機能を有する。拡散板１５ａの短辺縁部はホルダ２０上に載置されており、上下方向の拘束力を受けないものとされている（図３参照）。一方、拡散板１５ａの長辺縁部は、図２に示すように、シャーシ１４とフレーム１６とに挟持されている。
【００２４】
拡散板１５ａ上に配される光学シート１５ｂは、拡散板１５ａ側から順に、拡散シート、レンズシート、反射型偏光板が積層されたものであり、ＬＥＤ基板１７から出射され、拡散板１５ａを通過した光を面状の光とする機能を有する。当該光学シート１５ｂの上面側には液晶パネル１１が設置され、当該光学シート１５ｂは拡散板１５ａと液晶パネル１１とにより挟持されている。
【００２５】
ＬＥＤ基板１７は、図５に示すように、樹脂製の板状をなす基板部３１に、Ｒ（赤色）、Ｇ（緑色）、Ｂ（青色）を単色発光する３つのＬＥＤチップ３２が樹脂固定されたＬＥＤ光源３３（光源）が一列に配列した構成とされている。このＬＥＤ基板１７は、シャーシ１４の長辺外縁部２１ｂに例えばビス留め等により取り付けられている。また、シャーシ１４の底板１４ａには、その中央部側に、ＬＥＤ基板１７を駆動するための電力を発生する電源回路基板２２と、ＬＥＤ基板１７の駆動を制御する制御回路基板２３とが取り付けられている。
【００２６】
導光板１８は、矩形状の板状部材とされ、アクリル等の透光性の大きい（透明度の高い）樹脂により形成されている。導光板１８は、図２に示すように、主板面（光出射面１８ａ）を拡散板１５ａ側に向け、側板面のうちの一面（光入射面１８ｅ）を各ＬＥＤ光源３３に向ける形で配されている。言い換えると、導光板１８の光出射面１８ａは平面視矩形状をなしており、各ＬＥＤ光源３３は光出射面１８ａの長辺方向（一辺方向）に沿って配列されている。
【００２７】
ＬＥＤ光源３３から生じた光は、導光板１８の光入射面１８ｅから入射し、全反射によって導光板１８内で導光され、拡散板１５ａと対向する光出射面１８ａの全面から出射される。そして、光出射面１８ａからの出射光は、液晶パネル１１の背面側に照射される。さらに、シャーシ１４の底板１４ａには、光反射シート１９（反射部材）が敷設されている。光反射シート１９は、導光板１８の裏側の面１８ｄ（光出射面１８ａと反対側の面）を覆う形で配されている。この光反射シート１９によって、導光板１８から、光反射シート１９側へ出射された光を、再度光出射面１８ａ側へ反射させることができ、光の利用効率を高くすることができる。
【００２８】
導光板１８の裏側の面１８ｄ（光出射面１８ａとは反対側の面）上には、図３に示すように、白色を呈するドットパターンによって構成された光反射部２７が形成されている。光反射部２７は、光を散乱反射させる機能を担っている。従って、光反射部２７にて散乱反射されて光出射面１８ａに向かう光には、光出射面１８ａに対する入射角が臨界角を超えない光（全反射されない光）が生じ、もって光を光出射面１８ａから、液晶パネル１１側へと出射させることが可能とされる。
【００２９】
図６に示すように、光反射部２７は、例えば平面視丸形をなす複数のドット２７ａをジグザグ状（千鳥状、互い違い状）に配置することで構成されている。各ドット２７ａは、例えば金属酸化物が含有されたペーストを各導光板１８の裏側の面１８ｄに印刷することで形成される。当該印刷手段としては、スクリーン印刷、インクジェット印刷等が好適である。
【００３０】
本実施形態の導光板１８では、裏側の面１８ｄにおいて、光反射部２７の密度分布を変化させることにより、光出射面１８ａからの光出射量（ひいては輝度分布）を、当該光出射面１８ａの面内において変化させる構成としてある。具体的には、仮に、光出射面１８ａの長辺方向（一辺方向）の全範囲において、同一輝度の光を光入射面１８ｅに入射させた場合、光出射面１８ａの周辺部（言い換えると長辺方向又は短辺方向における両端部）から出射される光の輝度が、光出射面１８ａの中央側（言い換えると長辺方向又は短辺方向における中央部）から出射される光の輝度よりも低くなる構成とされている。これは人間の視覚特性を考慮して、液晶表示装置１０の視認性を向上させるためである。
【００３１】
より具体的に説明すると、裏側の面１８ｄにおいて、光出射面１８ａの長辺方向における光反射部２７の密度分布は、光出射面１８ａの長辺方向における中央側の光反射部２７の密度分布よりも低く設定されている。これにより、光出射面１８ａの長辺方向における両端側に対応する側は、光を散乱反射させる機能が中央側より低くなる。光を散乱反射させる機能が低くなれば、光出射面１８ａによって全反射する光の割合が多くなり、相対的に光出射量が低減される。これにより、光出射面１８ａの長辺方向における両端側の輝度を中央側の輝度に比べて低くすることが可能となる。なお、光反射部２７の密度分布は、光反射部２７を構成する各ドット２７ａの面積又は配置間隔を適宜設定することで設定可能である。
【００３２】
上述したように、本実施形態の導光板１８は、光出射面１８ａの長辺方向（一辺方向）の全範囲において、同一輝度の光が入射された場合に、所定の輝度分布（中央部より周辺部の輝度が低くなる分布）となる特性を有している。言い換えると、各ＬＥＤ光源３３が全て同じ輝度であることを前提として導光板１８の設計を行う。しかし、実際に同じ輝度のＬＥＤ光源３３だけを所定数確保しようとすれば、製造誤差などを考慮して、所定数以上のＬＥＤ光源３３を生産しなければならず、コストの増大に繋がる。
【００３３】
そこで、実際には、所定の輝度範囲に納まりつつも、異なる輝度のＬＥＤ光源３３を混在させて用いる場合がある。このため、各ＬＥＤ光源３３の配列の仕方によっては、上記した導光板１８の特性と相俟って、光出射面１８ａの中央部の輝度に対して、周辺部の輝度が極端に低くなってしまう事態が懸念される。
【００３４】
次に、ＬＥＤ光源３３の配列の仕方と輝度分布の関係について説明を行う。図７及び図８は、いずれも各ＬＥＤ光源３３の輝度と、導光板１８の光出射面における輝度分布との関係を示した概略図である。図７は本実施形態の構成を示し、図８は比較例の構成を示すものである。
【００３５】
図７及び図８においては、各ＬＥＤ光源３３の下方に、各ＬＥＤ光源３３の相対輝度（％）を付してある。また、導光板１８の光出射面１８ａ上の各点（点Ａ１〜Ａ９で示す）には、各点において測定した出射光の相対輝度（％）を付してある。図７及び図８においては、例えば、３種類の異なる輝度のＬＥＤ光源３３を混在させて用いた場合を例示している。
具体的には、導光板１８設計時において設定されたＬＥＤ光源３３の輝度を１００％としたとき、相対輝度が９０％のＬＥＤ光源３３Ａ、１００％のＬＥＤ光源３３Ｂ、１１０％のＬＥＤ光源３３Ｃを用いている。
【００３６】
図８の比較例においては、各ＬＥＤ光源３３のうち、相対輝度の低いＬＥＤ光源３３Ａが、光出射面１８ａの長辺方向（Ｘ軸方向）における両端側に配され、相対輝度の高いＬＥＤ光源３３Ｃが中央側に配されている。言い換えると、光出射面１８ａの長辺方向における両端側に配されたＬＥＤ光源３３の輝度が、光出射面１８ａの長辺方向における中央側に配されたＬＥＤ光源３３の輝度よりも低くなる形で配されている。この比較例では、導光板１８の特性に加えて、輝度の低いＬＥＤ光源３３が長辺方向における両端側に配された結果、光出射面１８ａの中央部（点Ａ５）の輝度（１１０％）に対して、周辺部（例えば点Ａ１）の輝度（６５％）が６０％程低下している。このようなＬＥＤ光源３３の配置では、光出射面１８ａにおいて、中央部と周辺部との輝度の差が極端に大きくなり、輝度ムラが大きくなってしまう。
【００３７】
そこで、本実施形態においては、図７に示すように、各ＬＥＤ光源３３のうち、比較的低い輝度のＬＥＤ光源３３Ａを中央側に配し、比較的高い輝度のＬＥＤ光源３３Ｃを両端側に配することとした。言い換えると、光出射面１８ａの長辺方向における両端側に配されたＬＥＤ光源３３の輝度が、光出射面１８ａの長辺方向における中央側に配されたＬＥＤ光源３３の輝度よりも高くなる形で配してある。このようにすれば、図７の輝度分布のように、光出射面１８ａにおける周辺部の輝度が中央部の輝度が著しく低下することを抑制できる。本実施形態では、中央部（点Ａ５）の輝度（１００％）より周辺部（例えば点Ａ１）の輝度（７５％）が７５％程低下するに留まっており、図８の比較例と比べて輝度ムラが少なくなっていることが分かる。
【００３８】
なお、図７及び図８においては、説明を分かりやすくするためにＬＥＤ光源３３の配列数を上述した図１〜図４より少なくしている。ＬＥＤ光源３３の配列数を変更しても上述のＬＥＤ光源３３の配列（周辺部が高い輝度となる配列）は適用可能である。
【００３９】
なお、本実施形態においては、ＬＥＤ光源３３実装時に、各ＬＥＤ光源３３の輝度を確認する必要がある。各ＬＥＤ光源３３の輝度の確認方法としては、例えば、ＬＥＤ光源３３を購入して使用する場合は、ＬＥＤ光源３３の輝度毎にランク分けがされているため、このランクによって、ＬＥＤ光源３３の輝度を確認すればよい。もちろん、各ＬＥＤ光源３３の輝度を個別に測定してもよい。
【００４０】
以上説明したように、本実施形態のバックライト装置１２においては、ＬＥＤ光源３３に係るコストを低減させる目的で、異なる輝度のＬＥＤ光源３３を混在させて使用した場合であっても、光出射面において、一辺方向における両端側と、その中央側において、輝度に極端な差（輝度ムラ）が生じる事態を抑制できる。
【００４１】
なお、異なる輝度のＬＥＤ光源３３を確保した後で、ＬＥＤ光源３３を輝度毎に選別し、各バックライト装置に割り当てて使用する構成（つまり、異なる輝度のＬＥＤ光源３３を混在させずに用いる場合）も考えられるが、この場合は、バックライト装置ごとの輝度自体にバラつきが生じるため、好ましくない。
【００４２】
また、本実施形態に係るバックライト装置１２は、導光板１８において、光出射面１８ａとは反対側の面１８ｄには、光を散乱反射させる光反射部２７が形成され、光出射面１８ａの長辺方向（一辺方向）における両端側の光反射部２７の密度分布が、光出射面１８ａの長辺方向（一辺方向）における中央側の光反射部２７の密度分布よりも低く設定されている。
【００４３】
このような構成とすれば、反対側の面１８ｄにおいて、光出射面１８ａの長辺方向における両端側に対応する側は、光を散乱反射させる機能が中央側より低くなる。光を散乱反射させる機能が低くなれば、光出射面１８ａによって全反射する光（出射されない光）の割合が多くなり、相対的に光出射量が低減される。これにより、光出射面１８ａの長辺方向における両端側の輝度を中央側の輝度に比べて低くすることが可能となる。
【００４４】
また、光反射部２７は、ドットパターンによって構成されるものとすることができる。このようにすれば、各ドット２７ａの態様（面積、配置間隔等）を設定することにより光反射部２７の密度分布を容易に制御することが可能となる。
【００４５】
光出射面１８ａとは反対側の面１８ｄには、複数のＬＥＤ光源３３からの光を光出射面１８ａ側へ反射させる光反射シート１９が覆われている。このような構成とすれば、導光板１８から、光反射シート１９側へ出射された光を、再度光出射面１８ａ側へ反射させることができ、光の利用効率を高くすることができる。
【００４６】
＜他の実施形態＞
本発明は上記記述及び図面によって説明した実施形態に限定されるものではなく、例えば次のような実施形態も本発明の技術的範囲に含まれる。
【００４７】
（１）上記実施形態においては、各ＬＥＤ光源３３は光出射面１８ａの長辺方向に沿って配列されている構成を例示したが、光出射面１８ａの短辺方向に沿って配列されている構成であってもよい。そして、光出射面１８ａの短辺方向に沿って配列されている場合は、比較的低い輝度のＬＥＤ光源３３Ａを短辺方向における中央側に配し、比較的高い輝度のＬＥＤ光源３３Ｃを短辺方向における両端側に配する構成とすればよい。また、各ＬＥＤ光源３３が長辺方向及び短辺方向の両方向に沿って配列されていてもよい。
【００４８】
（２）上記実施形態においては、ドットパターンを印刷することで、光反射部２７を構成したが、これに限定されない。光反射部２７は、光を散乱反射させる構成であればよく、導光板１８の裏側の面１８ｄを、例えば凹凸形状やレンズ形状などで形成し、光を散乱反射させる構成としてもよい。
【００４９】
（３）ＬＥＤ光源３３の配列数、配列間隔、輝度の種類などは、上記実施形態のものに限定されるものではなく適宜変更可能である。
【００５０】
（４）上記実施形態においては、導光板１８における光出射面１８ａと反対側の面１８ｄに光反射部２７を形成することで、導光板１８に所定の特性（光出射面１８ａの両端側から出射される光の輝度が、中央側から出射される光の輝度よりも低くなる特性）を付与したが、これに限定されない。例えば、光出射面１８ａに光を反射する（つまり、光を透過させない）ドットパターンを形成し、このドットパターンの分布密度を光出射面１８ａ上の中央部と周辺部において変化させることで、光出射面１８ａからの光出射量を調整し、これによって上述した所定の特性を付与させてもよい。
【００５１】
（５）上記した各実施形態では、Ｒ（赤色）、Ｇ（緑色）、Ｂ（青色）を単色発光する３つのＬＥＤチップ３２を組み合わせることで、ＬＥＤ光源３３を構成する場合を示したが、これに限定されない。例えば、青色を単色発光するＬＥＤチップを内蔵し、蛍光体によって白色光を発光する構成のものであってもよい。また、光源としてＬＥＤ以外の光源を適用することも可能である。
【００５２】
（６）上記した実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００５３】
（７）上記した実施形態では、表示パネルとして液晶パネルを用いた液晶表示装置を例示したが、他の種類の表示パネルを用いた表示装置にも本発明は適用可能である。
【符号の説明】
【００５４】
１０…液晶表示装置（表示装置）、１１…液晶パネル（表示パネル）、１２…バックライト装置（照明装置）、１８…導光板、１８ａ…光出射面、１８ｄ…光出射面とは反対側の面、１８ｅ…光入射面、１９…光反射シート（反射部材）、２７ａ…ドット（光反射部、ドットパターンの一部）、３３…ＬＥＤ光源（光源）、３３Ａ…ＬＥＤ光源（光出射面の一辺方向における中央側に配された光源）、３３Ｃ…ＬＥＤ光源（光出射面の一辺方向における両端側に配された光源）
【図１】
2011103236.tif 000003
【図２】
2011103236.tif 000004
【図３】
2011103236.tif 000005
【図４】
2011103236.tif 000006
【図５】
2011103236.tif 000007
【図６】
2011103236.tif 000008
【図７】
2011103236.tif 000009
【図８】
2011103236.tif 000010